(57)【特許請求の範囲】
【請求項１】
第１の電子部品を収容した第１の筐体と、前記第１の筐体にスライド可能に装着され、第２の電子部品を収容した第２の筐体と、前記第１の筐体と前記第２の筐体との相対面に形成された第１の開口部および第２の開口部を経て延び、前記第１の電子部品と前記第２の電子部品とを電気的に接続する配線とを有するスライド型電子機器の防塵構造において、
前記第１の筐体および前記第２の筐体の少なくとも一方に、他方の筐体との間に隙間を有した状態で設置され、前記第１の開口部および前記第２の開口部の少なくとも一方を封蓋するパッキンを有し、
前記パッキンは、前記配線を導出させ、前記第２の筐体のスライド動作に伴って前記配線の表面に付着した異物を前記筐体外にワイプアウトする切欠部を有し、
前記パッキンは、前記第２の筐体のスライド動作に伴う前記切欠部に対する前記配線の出入りを許容する材料から成形されていることを特徴とするスライド型電子機器の防塵構造。
【請求項２】
前記パッキンとして、前記第１の開口部および前記第２の開口部をそれぞれ封蓋する２つのパッキンを有する請求項１に記載のスライド型電子機器の防塵構造。
【請求項３】
前記パッキンは、低摩擦係数の材料から成る請求項１または請求項２に記載のスライド型電子機器の防塵構造。
【請求項４】
前記パッキンは、可撓性を有する請求項１乃至請求項３のいずれか１項に記載のスライド型電子機器の防塵構造。
【請求項５】
前記パッキンは、前記切欠部で終端する複数の片が並んだのれん状を呈する請求項１乃至請求項４のいずれか１項に記載のスライド型電子機器の防塵構造。
【請求項６】
前記配線は、フレキシブル基板である請求項１乃至請求項５のいずれか１項に記載のスライド型電子機器の防塵構造。
【請求項７】
前記第２の筐体は、前記第１の筐体に回動的にスライド可能に装着されている請求項１乃至請求項６のいずれか１項に記載のスライド型電子機器の防塵構造。
【請求項８】
請求項１乃至請求項７のいずれか１項に記載のスライド型電子機器の防塵構造を有するスライド型電子機器。
【発明の詳細な説明】
【技術分野】
【０００１】
本発明は、第１の筐体と、第１の筐体にスライド可能に装着された第２の筐体と、第１の筐体および第２の筐体にそれぞれ内蔵された電子部品間を電気的に接続する配線とを有するスライド型電子機器に関し、特に、筐体内の防塵構造に関する。
【背景技術】
【０００２】
この種のスライド型電子機器としては、例えば、スライド型携帯電話機やスライド型ＰＤＡ等がある。
一般に、スライド型電子機器において、第１の筐体および第２の筐体にそれぞれ内蔵された電子部品間は、筐体の相対面に形成された第１の開口部および第２の開口部を経て延びるフレキシブル基板（ＦＰＣ: Flexible Printed Circuit board）等の配線によって、電気的に接続されている。
【０００３】
ＦＰＣ等の配線は、第１の筐体に対して第２の筐体が最大限にスライドされた時であってもストレスがかかって破断することがない長さに、設定されている。
即ち、配線には、マージンが確保されている。
配線のマージンは、第１の筐体に対して第２の筐体がスライドする際に、第１の開口部および第２の開口部を出入りする。
このため、第１の開口部および第２の開口部は、配線の出入りを妨げぬように、配線の寸法に対してかなり大きいクリアランスを持っている。
【０００４】
特開２００５−１３５４１７号公報には、従来のスライド型電子機器の一例として、スライド型携帯電話機が開示されている。
このスライド型携帯端末機は、第１の筐体と、第１の筐体にスライド可能に装着された第２の筐体とを有している。
図示はされていないが、第１の筐体および第２の筐体にそれぞれ内蔵された電子部品間は、第１の筐体および第２の筐体の相対面に形成された第１の開口部および第２の開口部を経て延びるＦＰＣによって電気的に接続される。
ＦＰＣは、第１の筐体に対して第２の筐体がスライドする際に、第１の開口部および第２の開口部を出入りする。
第１の開口部および第２の開口部は、ＦＰＣの出入りを妨げぬように、ＦＰＣの寸法に対してかなり大きいクリアランスを持っている。
【０００５】
第１Ａ図〜第１Ｄ図は、特開２００５−１３５４１７号公報に開示されたものに似たスライド型携帯電話機を示す。
このスライド型携帯電話機は、第１の筐体６１と、第１の筐体６１にスライド可能に装着された第２の筐体６２とを有している。第２の筐体６２を摩擦なくスライドするために、第１の筐体６１と第２の筐体６２との間にはギャップＧが設けられている。
【０００６】
第１の筐体６１に内蔵された第１の電子部品としての第１の回路基板６６と第２の筐体６２に内蔵された第２の電子部品としての第２の回路基板６７との間は、第１の筐体６１と第２の筐体６２との相対面に形成された第１の開口部６１ａおよび第２の開口部６２ａを経て延びるＦＰＣ７０によって電気的に接続される。
符号７１および７２は、コネクタを示す。
【０００７】
ＦＰＣ７０は、第１の筐体６１に対して第２の筐体６２がスライドする際に、第１の開口部６１ａおよび第２の開口部６２ａを出入りする。
第１の開口部６１ａおよび第２の開口部６２ａは、ＦＰＣ７０の出入りを妨げぬように、ＦＰＣ７０の寸法に対してかなり大きいクリアランスを持っている。
【先行技術文献】
【特許文献】
【０００８】
【特許文献１】特開２００５−１３５４１７号公報
【発明の概要】
【発明が解決しようとする課題】
【０００９】
第１Ａ図〜第１Ｄ図に示したものをも含め、従来のスライド型電子機器において、第１の筐体と第２の筐体との間に設けられているギャップから、塵や水分といった異物が侵入する可能性がある。
【００１０】
従来、ギャップから侵入する塵や水分といった異物への対策は、施されていなかった。
ギャップから侵入した塵や水分は、第１の開口部を通って第１の筐体内に侵入し、第１の電子部品がダメージを受ける可能性がある。
ギャップから侵入した塵や水分はまた、第２の開口部から第２の筐体内部に侵入し、第２の電子部品がダメージを受ける可能性もある。
【００１１】
最近、スライド型電子機器の高機能化に伴い、液晶ディスプレイの大型化や操作ボタン数の増加などが進んできている。
その結果、第１の電子部品と第２の電子部品とを接続する配線のライン数も増加し、幅等の寸法も大きくなって来ている。
寸法が大きくなった配線に対応すべく、第１の開口部および第２の開口部も大型化している。
このため、異物が筐体内に侵入する確率も増加している。
【００１２】
それ故、本発明の課題は、筐体間のスライド動作を損なうことなく、塵や水分などの異物の筐体内への浸入を防止できるスライド型電子機器の防塵構造を提供することである。
【００１３】
本発明の他の課題は、上記のような防塵構造を有するスライド型電子機器を提供することである。
【課題を解決するための手段】
【００１４】
本発明によれば、第１の電子部品を収容した第１の筐体と、前記第１の筐体にスライド可能に装着され、第２の電子部品を収容した第２の筐体と、前記第１の筐体と前記第２の筐体との相対面に形成された第１の開口部および第２の開口部を経て延び、前記第１の電子部品と前記第２の電子部品とを電気的に接続する配線とを有するスライド型電子機器の防塵構造において、前記第１の筐体および前記第２の筐体の少なくとも一方に、他方の筐体との間に隙間を有した状態で設置され、前記第１の開口部および前記第２の開口部の少なくとも一方を封蓋するパッキンを有し、前記パッキンは、前記配線を導出させ、前記第２の筐体のスライド動作に伴って前記配線の表面に付着した異物を前記筐体外にワイプアウトする切欠部を有し、前記パッキンは、前記第２の筐体のスライド動作に伴う前記切欠部に対する前記配線の出入りを許容する材料から成形されていることを特徴とするスライド型電子機器の防塵構造が得られる。
【００１５】
パッキンとして、第１の開口部および第２の開口部をそれぞれ封蓋する２つのパッキンを有していてもよい。
また、パッキンは、低摩擦係数の材料から成っていてもよい。
また、パッキンは、可撓性を有していてもよい。
さらに、パッキンは、切欠部で終端する複数の片が並んだのれん状を呈していてもよい。
【００１６】
配線は、ＦＰＣであってもよい。
【００１７】
第２の筐体は、第１の筐体に回動的にスライド可能に装着されていてもよい。
【００１８】
本発明によればまた、上記スライド型電子機器の防塵構造を有するスライド型電子機器が得られる。
【発明の効果】
【００１９】
本発明によるスライド型電子機器の防塵構造は、塵や水分などの異物の筐体内への浸入を防止できる。
【図面の簡単な説明】
【００２０】
【図１】第１Ａ図〜第１Ｄ図は、従来の防塵構造を有するスライド型電子機器を示す図である。
【図２】第２Ａ図〜第２Ｄ図は、本発明の実施例１による防塵構造を有するスライド型電子機器を示す図である。
【図３】第３Ａ図〜第３Ｃ図は、本発明の実施例１による防塵構造を有するスライド型電子機器を示す図である。
【図４】第４Ａ図〜第４Ｃ図は、本発明の実施例１による防塵構造における第１のパッキンを示す図である。
【図５】第５Ａ図〜第５Ｄ図は、本発明の実施例１による防塵構造における第２のパッキンを示す図である。
【図６】第６Ａ図〜第６Ｃ図は、本発明の実施例２による防塵構造を有するスライド型電子機器を示す図である。
【図７】第７Ａ図〜第７Ｃ図は、本発明の実施例２による防塵構造における第１のパッキンを示す図である。
【図８】第８Ａ図〜第８Ｄ図は、本発明の実施例２による防塵構造における第２のパッキンを示す図である。
【発明を実施するための形態】
【００２１】
本発明による防塵構造は、第１の電子部品を収容した第１の筐体と、第１の筐体にスライド可能に装着され、第２の電子部品を収容した第２の筐体と、第１の筐体と第２の筐体との相対面に形成された第１の開口部および第２の開口部を経て延び、第１の電子部品と第２の電子部品とを電気的に接続する配線とを有するスライド型携帯電話機等のスライド型電子機器に適用される。
【００２２】
第１の開口部および第２の開口部の少なくとも一方には、配線を導出する切欠部を除いて開口部を封蓋するパッキンを有している。第２の筐体のスライド動作に伴って切欠部を出入りする配線の表面は、パッキンによってワイプされる。
【実施例】
【００２３】
以下、図面を参照して、本発明の実施例によるスライド型電子機器の防塵構造と、スライド型電子機器について説明する。
【００２４】
［実施例１］
第２Ａ図〜第２Ｄ図ならびに第３Ａ図〜第３Ｃ図は、本発明の実施例１による防塵構造が適用されたスライド型電子機器としてのスライド型携帯電話機を示している。
本携帯電話機は、第１の筐体１１と、第１の筐体１１にスライド可能に装着された第２の筐体１２とを有している。
【００２５】
第１の筐体１１には、第１の電子部品としての第１の回路基板１６および図示しない充電式バッテリ等が内蔵されている。
第１の筐体１１のおもて面上には、キーボードが設けられている。
ただし、キーボードは、第３Ｃ図中、図示が省略されている。
【００２６】
第２の筐体１２には、第２の電子部品としての第２の回路基板１７および図示しないアンテナ等が内蔵されている。
第２の筐体１２のおもて面上には、液晶ディスプレイ、カーソルボタン、スピーカ、およびマイクロフォン等が設けられている。
【００２７】
第１の筐体１１と第２の筐体１２との相対面、即ち、第１の筐体１１のおもて面と第２の筐体１２のおもて面とには、第１の筐体１１と第２の筐体１２とをスライド可能に結合するためのスライダ１８および１９が、それぞれ設けられている。
さらに、第２の筐体１２を摩擦なくスライドするために、第１の筐体１１と第２の筐体１２との間にはギャップＧが設けられている。
【００２８】
第１の筐体１１に内蔵された第１の回路基板１６と第２の筐体１２に内蔵された第２の回路基板１７との間は、第１の筐体１１と第２の筐体１２との相対面に形成された第１の開口部１１ａおよび第２の開口部１２ａを経て延びるＦＰＣ２０によって電気的に接続されている。
符号２１および２２は、コネクタを示す。
【００２９】
ＦＰＣ２０は、第１の筐体１１に対して第２の筐体１２がスライドする際に、第１の開口部１１ａおよび第２の開口部１２ａを出入りする。
第１の開口部１１ａおよび第２の開口部１２ａは、ＦＰＣ２０の出入りを妨げぬように、ＦＰＣ２０の寸法に応じたクリアランスを持っている。
【００３０】
本携帯電話機においては特に、第１の開口部１１ａおよび第２の開口部１２ａに、ＦＰＣ２０を導出する切欠部３１ａおよび切欠部３２ａを除いて開口部を封蓋する第１のパッキン３１および第２のパッキン３２を有している。
第１のパッキン３１および第２のパッキン３２はそれぞれ、第１の開口部１１ａおよび第２の開口部１２ａに嵌め込まれている。
第１のパッキン３１および第２のパッキン３２はそれぞれ、第１の開口部１１ａおよび第２の開口部１２ａに接着、ネジ止め、またはプレートによる押さえ付けのスタイルで装着されてもよい。
【００３１】
第４Ａ図〜第４Ｃ図ならびに第５Ａ図〜第５Ｄ図は、第１のパッキン３１ならびに第２のパッキン３２を示している。
【００３２】
第２の筐体１２のスライド動作に伴って切欠部３１ａおよび切欠部３２ａを出入りするＦＰＣ２０の表面は、第１のパッキン３１および第２のパッキン３２によってワイプされる。
たとえギャップＧ中に露出しているＦＰＣ２０の表面にギャップＧから侵入した塵や水分が付着したとしても、第２の筐体１２のスライド動作に伴って切欠部３１ａおよび切欠部３２ａを通過する際にワイプアウトされる。
この結果、塵や水分は、第１の筐体１１および第２の筐体１２のどちらにも侵入しない。
【００３３】
第１のパッキン３１および第２のパッキン３２は、シリコンゴムから成っているが、プラスチック板、スポンジ等を採用してもよい。
パッキンの材料は、ＦＰＣ２０の出入りを妨げぬように、可撓性を有し、低摩擦係数であることが好ましい。
パッキンの材料にはまた、耐久性に優れていことも望まれる。
【００３４】
［実施例２］
本発明の実施例２は、パッキンの形状に特徴を有している。このため、実施例１と同じもしくは同様の部分については、図示および詳細な記述を省略する。
【００３５】
第６Ａ図〜第６Ｃ図は、本発明の実施例２による防塵構造が適用されたスライド型電子機器としてのスライド型携帯電話機を示している。
本携帯電話機は、第１の筐体１１と、第１の筐体１１にスライド可能に装着された第２の筐体１２とを有している。
【００３６】
本携帯電話機においては、第１の開口部１１ａおよび第２の開口部１２ａに、ＦＰＣを導出する切欠部４１ａおよび切欠部４２ａを除いて開口部を封蓋する第１のパッキン４１および第２のパッキン４２を有している。
第１のパッキン４１および第２のパッキン４２はそれぞれ、第１の開口部１１ａおよび第２の開口部１２ａに嵌め込まれている。
第１のパッキン４１および第２のパッキン４２はそれぞれ、第１の開口部１１ａおよび第２の開口部１２ａに接着、ネジ止め、またはプレートによる押さえ付けのスタイルで装着されてもよい。
【００３７】
第７Ａ図〜第７Ｃ図ならびに第８Ａ図〜第８Ｄ図は、第１のパッキン４１ならびに第２のパッキン４２を示している。第１のパッキン４１ならびに第２のパッキン４２はそれぞれ、切欠部４１ａおよび切欠部４２ａで終端する複数の片４１ｂおよび複数の片４２ｂが並んだのれん状を呈している。
【００３８】
第２の筐体１２のスライド動作に伴って切欠部４１ａおよび切欠部４２ａを出入りするＦＰＣの表面は、第１のパッキン４１および第２のパッキン４２によってワイプされる。
たとえギャップＧ中に露出しているＦＰＣの表面にギャップＧから侵入した塵や水分が付着したとしても、第２の筐体１２のスライド動作に伴って切欠部４１ａおよび切欠部４２ａを通過する際にワイプアウトされる。
この結果、塵や水分は、第１の筐体１１および第２の筐体１２のどちらにも侵入しない。
【００３９】
第１のパッキン４１および第２のパッキン４２は、厚さ０．２ｍｍのプラスチック板から成っているが、シリコンゴム等を採用してもよい。
パッキンの材料は、ＦＰＣ２０の出入りを妨げぬように、可撓性を有し、低摩擦係数であることが好ましい。
また、パッキンがプラスチック板から成る場合、その厚さとしては、望ましい可撓性が得られる厚さが採用される。
パッキンの材料にはまた、耐久性に優れていことも望まれる。
また、切欠部４１ａおよび切欠部４２ａを規定する第１のパッキン４１の片４１ｂおよび第２のパッキン４２の片４２ｂのエッジは、丸みを帯びている。
片４１ｂおよび片４２ｂのエッジの形状は、ＦＰＣの表面に対する摩擦に関する支障が生じない範囲において、フラットな形状や鋭利な形状であってもよい。
【産業上の利用可能性】
【００４０】
以上説明した実施例に限定されることなく、本発明は、当該特許請求の範囲に記載された技術範囲内であれば、種々の変形が可能であることは云うまでもない。
例えば、本発明は、ＦＰＣ等の帯状の配線に限らず、線状の配線に対しても適用可能である。
また、本発明は、直線的スライド型電子機器に限らず、回動的スライド型電子機器にも適用可能である。
【図１Ａ】
0004735868.tif 000002
【図１Ｂ】
0004735868.tif 000003
【図１Ｃ】
0004735868.tif 000004
【図１Ｄ】
0004735868.tif 000005
【図２Ａ】
0004735868.tif 000006
【図２Ｂ】
0004735868.tif 000007
【図２Ｃ】
0004735868.tif 000008
【図２Ｄ】
0004735868.tif 000009
【図３Ａ】
0004735868.tif 000010
【図３Ｂ】
0004735868.tif 000011
【図３Ｃ】
0004735868.tif 000012
【図４Ａ】
0004735868.tif 000013
【図４Ｂ】
0004735868.tif 000014
【図４Ｃ】
0004735868.tif 000015
【図５Ａ】
0004735868.tif 000016
【図５Ｂ】
0004735868.tif 000017
【図５Ｃ】
0004735868.tif 000018
【図５Ｄ】
0004735868.tif 000019
【図６Ａ】
0004735868.tif 000020
【図６Ｂ】
0004735868.tif 000021
【図６Ｃ】
0004735868.tif 000022
【図７Ａ】
0004735868.tif 000023
【図７Ｂ】
0004735868.tif 000024
【図７Ｃ】
0004735868.tif 000025
【図８Ａ】
0004735868.tif 000026
【図８Ｂ】
0004735868.tif 000027
【図８Ｃ】
0004735868.tif 000028
【図８Ｄ】
0004735868.tif 000029